【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
インクジェットヘッドのインクノズル面に対峙する側が開口しているキャップ本体と、
前記キャップ本体を保持し、前記インクノズル面をキャッピングしたキャッピング位置および当該位置から退避した退避位置を往復移動可能なキャップホルダと、
前記キャップ本体内部を大気開放若しくは密閉する大気開放弁機構と、
正逆回転するモータと、
前記モータが逆回転されると前記キャップ本体からインクを吸引するインク吸引ポンプと、
前記モータの回転が摩擦クラッチ機構を介して伝達されて回動され、前記キャップホルダの移動と前記大気開放弁機構の開閉を担う円筒カムであって、
前記モータが正回転したときの回動停止位置では前記キャップ本体を前記退避位置に位置させ、前記モータが逆回転したときの回動停止位置では前記キャップ本体を前記キャッピング位置に位置させるとともに前記大気開放弁機構を密閉しているインク吸引位置と前記大気開放弁機構を大気開放するインク空吸引位置とをとりうる円筒カムを有し、
前記円筒カムの回動を前記インク吸引位置又は前記インク空吸引位置に停止させた状態で前記インク吸引ポンプを吸引駆動することにより、前記インクジェットヘッドからの吸引又は前記キャップホルダから吸引できることを特徴とするインクジェットプリンタのヘッドメンテナンス機構。
【請求項２】
請求項１において、
前記円筒カムは、前記インク吸引位置と前記インク空吸引位置とを有するカム部を備え、
前記円筒カムの回転方向を制御することにより前記大気開放弁機構を前記インク吸引位置の状態から前記インク空吸引位置の状態にすることができることを特徴とするインクジェットプリンタのヘッドメンテナンス機構。
【請求項３】
請求項２において、
前記円筒カムの外周面に形成された円周方向に所定の角度範囲に亘って延びるカム溝と、
このカム溝に沿って摺動可能なヘッドキャップ駆動用のキャップ側移動ピンとを有し、
前記カム溝は、前記キャップ側移動ピンを前記インク吸引位置に案内する第1の溝、前記インク空吸引位置に案内する第２の溝及び前記インク吸引位置にいる前記キャップ側移動ピンを前記モータの正回転によって前記第２の溝に案内する案内用カム溝部分を備えていること特徴とするインクジェットプリンタのヘッドメンテナンス機構。
【請求項４】
請求項１において、
前記摩擦クラッチ機構は、歯車輪列機構を有し、前記円筒カムのそれぞれの停止位置において前記モータの回転を遮断する間欠歯車を有していることを特徴とするインクジェットプリンタのヘッドメンテナンス機構。
【請求項５】
請求項１において、
前記インクノズル面をワイピングするためのワイパブレードを有するワイパであって、前記ワイパブレードが前記インクノズル面に当接可能なワイピング位置および当該ワイピング位置から退避した退避位置とを往復移動可能なワイパを更に備え、
前記円筒カムは前記ワイパを前記ワイピング位置と前記退避位置とに移動させることを特徴とするインクジェットプリンタのヘッドメンテナンス機構。
【請求項６】
請求項１において、
前記円筒カムが回動支持されているフレーム側に配置されている固定側係合部と、前記円筒カムに形成されている第１および第２の回転側係合部とを備え、
前記モータが逆回転したときの前記円筒カムの回動停止位置は、前記固定側係合部に前記第１の回転係合部が当接して規定され、
前記モータが正回転したときの前記円筒カムの回動停止位置は、前記固定側係合部に前記第２の回転係合部が当接して規定されることを特徴とするインクジェットプリンタのヘッドメンテナンス機構。
【請求項７】
請求項１において、
前記大気開放弁機構は、
前記キャップ本体に設けられた大気開放筒と、
前記キャップホルダに設けられ、前記大気開放筒の端部に当接して前記大気開放筒を閉じることが可能な弁座と、
前記キャップ本体を前記キャップホルダから突出する方向であって、前記開放筒と前記弁座が離間する方向に付勢している付勢部材とを備えており、
この付勢部材の付勢力に逆らって前記キャップ本体を所定量だけ押し込むと、前記大気開放弁が閉状態に切り換わることを特徴とするインクジェットプリンタのヘッドメンテナンス機構。
【手続補正２】
【補正対象書類名】明細書
【補正対象項目名】００１３
【補正方法】変更
【補正の内容】
【００１３】
上記の課題を解決するために、本発明のインクジェットプリンタのヘッドメンテナンス機構は、
インクジェットヘッドのインクノズル面に対峙する側が開口しているキャップ本体と、  
前記キャップ本体を保持し、前記インクノズル面をキャッピングしたキャッピング位置および当該位置から退避した退避位置を往復移動可能なキャップホルダと、
前記キャップ本体内部を大気開放若しくは密閉する大気開放弁機構と、
正逆回転するモータと、
前記モータが逆回転されると前記キャップ本体からインクを吸引するインク吸引ポンプと、
前記モータの回転が摩擦クラッチ機構を介して伝達されて回動され、前記キャップホルダの移動と前記大気開放弁機構の開閉を担う円筒カムであって、
前記モータが正回転したときの回動停止位置では前記キャップ本体を前記退避位置に位置させ、前記モータが逆回転したときの回動停止位置では前記キャップ本体を前記キャッピング位置に位置させるとともに前記大気開放弁機構を密閉しているインク吸引位置と前記大気開放弁機構を大気開放するインク空吸引位置とをとりうる円筒カムを有し、
前記円筒カムの回動を前記インク吸引位置又は前記インク空吸引位置に停止させた状態で前記インク吸引ポンプを吸引駆動することにより、前記インクジェットヘッドからの吸引又は前記キャップホルダから吸引できること特徴とする。
【手続補正３】
【補正対象書類名】明細書
【補正対象項目名】００１４
【補正方法】変更
【補正の内容】
【００１４】
この場合、前記円筒カムは、前記インク吸引位置と前記インク空吸引位置とを有するカム部を備え、
前記円筒カムの回転方向を制御することにより前記大気開放弁機構を前記インク吸引位置の状態から前記インク空吸引位置の状態にすることが望ましい。
【手続補正４】
【補正対象書類名】明細書
【補正対象項目名】００１５
【補正方法】変更
【補正の内容】
【００１５】
また、前記円筒カムの外周面に形成された円周方向に所定の角度範囲に亘って延びるカム溝と、
このカム溝に沿って摺動可能なヘッドキャップ駆動用のキャップ側移動ピンとを有し、
前記カム溝は、前記キャップ側移動ピンを前記インク吸引位置に案内する第1の溝、前記インク空吸引位置に案内する第２の溝及び前記インク吸引位置にいる前記キャップ側移動ピンを前記モータの正回転によって前記第２の溝に案内する案内用カム溝部分を備えていることが望ましい。
【手続補正５】
【補正対象書類名】明細書
【補正対象項目名】００１６
【補正方法】変更
【補正の内容】
【００１６】
更には、前記摩擦クラッチ機構は、歯車輪列機構を有し、前記円筒カムのそれぞれの停止位置において前記モータの回転を遮断する間欠歯車を有していることを特徴とする。
【手続補正６】
【補正対象書類名】明細書
【補正対象項目名】００１７
【補正方法】変更
【補正の内容】
【００１７】
また、前記インクノズル面をワイピングするためのワイパブレードを有するワイパであって、前記ワイパブレードが前記インクノズル面に当接可能なワイピング位置および当該ワイピング位置から退避した退避位置とを往復移動可能なワイパを更に備え、
前記円筒カムは前記ワイパを前記ワイピング位置と前記退避位置とに移動させる構成とすることができる。
【手続補正７】
【補正対象書類名】明細書
【補正対象項目名】００１８
【補正方法】変更
【補正の内容】
【００１８】
また、前記円筒カムが回動支持されているフレーム側に配置されている固定側係合部と、前記円筒カムに形成されている第１および第２の回転側係合部とを備え、
前記モータが逆回転したときの前記円筒カムの回動停止位置は、前記固定側係合部に前記第１の回転係合部が当接して規定され、
前記モータが正回転したときの前記円筒カムの回動停止位置は、前記固定側係合部に前記第２の回転係合部が当接して規定される構成とすることができる。
【手続補正８】
【補正対象書類名】明細書
【補正対象項目名】００１９
【補正方法】変更
【補正の内容】
【００１９】
更には、前記大気開放弁機構は、
前記キャップ本体に設けられた大気開放筒と、
前記キャップホルダに設けられ、前記大気開放筒の端部に当接して前記大気開放筒を閉じることが可能な弁座と、
前記キャップ本体を前記キャップホルダから突出する方向であって、前記開放筒と前記弁座が離間する方向に付勢している付勢部材とを備えており、
この付勢部材の付勢力に逆らって前記キャップ本体を所定量だけ押し込むと、前記大気開放弁が閉状態に切り換わることが望ましい。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】